(57)【要約】      （修正有）【課題】既設の羽根の全体形状を変えることなく、送風量の増大と強度向上を図るファン体羽根構造を提供する。【解決手段】ファン体の羽根２の表裏面に凹凸部１を多数個形成する。凹凸部は半円弧状とするものが好ましい。また凹凸部の大きさは一定又は相違していてもよい。凹凸部による渦流の発生により騒音にほとんど変化がなく送風量が増大する。【選択図】図１
0003188542.tif 000002
【実用新案登録請求の範囲】
【請求項１】
気体流に対面してなる送風ファン又は風力ファンの如き気流面体の羽根がその表裏面に凹凸部を形成するものからなることを特徴とする気流面体における羽根構造。
【請求項２】
前記凹凸部が半円弧状のものからなることを特徴とする請求項１に記載の気流面体における羽根構造。
【請求項３】
複数個形成される前記凹凸部の大きさが一定又は相違するものからなることを特徴とする請求項１に記載の気流面体における羽根構造。
【請求項４】
前記気流面体が金属又は樹脂からなることを特徴とする請求項１に記載の気流面体における羽根構造。
【請求項５】
前記羽根の気流に接する面が弧状に形成されることを特徴とする請求項１に記載の気流面体における羽根構造。
【考案の詳細な説明】
【技術分野】
【０００１】  本考案は、例えば、軸流ファンのようなファン体の羽根に凹凸部を形成してなる気流面体における羽根構造に関する。
【背景技術】
【０００２】  一般に軸流ファンモータとしては図７に示す如きものが一般に使用されている。このものはモータの回転軸に４枚の羽根を有するものである。なお、ファンとしては軸流ファンに限らず送風ファンや風力ファン等の各種のものがあり、これ等を総称して気流面体と称呼する。
また、従来技術としては、例えば、「特許文献１」や「特許文献２」に示すものがある。
【先行技術文献】
【特許文献】
【０００３】
【特許文献１】特開平８−１２１３９２号（図１）
【特許文献２】登録実用新案第３０６７１５４号（図１）
【考案の概要】
【考案が解決しようとする課題】
【０００４】  「特許文献１」の「特開平８−１２１３９２号」の「扇風機の羽根」や「特許文献２」の「登録実用新案第３０６７１５４号」の「扇風機」においては、その羽根には何等の凹凸部が形成されていない。また、その他の公知技術における羽根としては凹凸を有するものは本願出願人の調査によると存在していない。【０００５】  一方、電気機器の収納箱のようなものや交通信号における信号等制御に用いられているケースの外観には凹凸部が形成されているものがある。このものはその目的としては剛性アップと外面に不要物を貼着されることで防止するものであり、その他の効果を狙うものではない。また、自動車等における床板に凹凸部を形成しているものがあるが、このものも剛性アップを目的としているものと思料される。【０００６】  また、ゴルフのボールとして外面に凹凸部が形成されているものがあるが、この凹部はボールの方向性の安定を図ることを目的としているものであり、その他の効果を狙っているものではない。【０００７】  一方、本願出願人によると、例えば、ファン体の羽根に凹凸部を設けると常識的には羽根の抵抗が増加し、送風量の低下や騒音が増大することが考えられるが、それとは別に凹凸部による渦流の発生により送風量や騒音について凹凸部が良い影響を与えるのではないかと思料し、実験を行った。この実験によると後に説明するように騒音にほとんど変化がなく送風量が増大することが実証された。また、羽根の気体に接する面を弧状にしたものについても実験を行った。【０００８】  本考案は、以上の実証を基にして創案したものであり、既存の形状の羽根に凹凸部を設けて送風量の増加を図ることを目的としたものである。なお、この理論的についてはノウハウ的のものでありここでの記載は省略する。
【課題を解決するための手段】
【０００９】  本考案は、以上の目的を達成するために創案されたものであり、請求項１の考案は、気体流に対面してなる送風ファン又は風力ファンの如き気流面体の羽根がその表裏面に凹凸部を形成するものからなることを特徴とする。【００１０】  また、請求項２の考案は、前記凹凸部が半円弧状のものからなることを特徴とする。【００１１】  また、請求項３の考案は、複数個形成される前記凹凸部の大きさが一定又は相違するものからなることを特徴とする。【００１２】  また、請求項４の考案は、前記気流面体が金属又は樹脂からなることを特徴とする。【００１３】  また、請求項５の考案は、前記羽根の気流に接する面が弧状に形成されることを特徴とする。
【考案の効果】
【００１４】  本考案の請求項１の気流面体における羽根構造によれば、ファン体の如き気流面体の羽根にその形状を変えることなく凹凸部を設けることにより騒音がほとんど変化することなく送風量の増大が図られると共に強度の向上を図ることが出来る。【００１５】  また、本考案の請求項２の気流面体における羽根構造によれば、凹凸部の形状として半円弧状を形成することにより、凹凸部の形成の容易化が図られる。【００１６】  また、本考案の請求項３の気流面体における羽根構造によれば、凹凸部は一定のものでもよく、相違するものでもよく、これ等の選択により、より効果の向上を図ることが出来る。【００１７】  また、本考案の請求項４の気流面体における羽根構造によれば、羽根としてステンレスやアルミ等の金属が用いられる他樹脂でもよく、コスト低減と軽量化を用いることが出来る。【００１８】  また、本考案の請求項５の気流面体における羽根構造によれば、羽根の気流に接する面を弧状にすることにより、送風量の一層の向上を図ることが出来る。
【図面の簡単な説明】
【００１９】
【図１】本考案における羽根の形状の一例を示す部分斜視図。
【図２】図１の羽根に形成される凹凸部の形状の一例を示す部分断面図。
【図３】図１示す羽根の平面図。
【図４】本考案における送風量に変化を示す線図。
【図５】羽根の気流に接する面を弧状にした実施例を示す部分側面図（ａ）と弧状にしない従来のものを示す部分側面図（ｂ）。
【図６】本考案における騒音量の測定方法を示す模式図。
【図７】従来の軸流ファンの一例の羽根構造を示す斜視図。
【考案を実施するための形態】
【００２０】  以下、本考案の気流面体における羽根構造の実施の形態を図面を参照して詳述する。
【実施例１】
【００２１】  本実施例は気流面体として軸流ファンを採用した場合を示すものであり、気流面体としてはこの実施例１に限定するものではない。
図１に示すように、４枚の羽根２は図略のモータに回転軸３によりその基端を固定されている。また、図１及び図３に示すように羽根２には多数個の凹凸部１が形成されている。なお、本実施例では凹凸部の形状は一定のものを多数個形成したものからなるが、勿論これに限定するものではない。
また、図２に示すように凹凸部１は気流の流れ方向に突起するものが示されているが勿論これに限定するものではない。
また、凹凸部１としては半円弧状のものからなり、その大きさは、例えば、４ｍｍから８ｍｍ位のものが一例として形成されているが、形状や大きさはこれに限定するものではない。
また、羽根の材質としては、ステンレスやアルミ等金属に限らず樹脂にしてもよく、軽量化を図ることが出来る。【００２２】  図４の線図は本考案における気流面体における羽根構造の送風量の状態を示すものである。図において縦軸は速度（ｒｐｍ）であり、横軸は送風量Ｑｍ３／ｍｉｎを示す。また、図示のように○印は凹凸部のない従来のものであり、（図５（ｂ）に示す）×印は本実施例のものであり、□は羽根の気流に接する面を弧状にして凹凸部１を設けたものである（この形状は図５（ａ）に示されている）。以上により６乃至１０％程度の送風量の向上を図ることが出来る。【００２３】  図６はファン体における羽根構造における騒音量の測定方法を示すものである。図示のように騒音の測定はファン体の後方１ｍの位置において測定したものである。勿論、測定方法は図示のものに限定するものではない。また、凹凸部１を形成したものや羽根２の気流と接する面を弧状にしたものについて騒音量を測定したが騒音量の変化は殆どなかった。【００２４】  以上のように、羽根２に単に凹凸部１を設けるだけの簡便の構造により、送風量の増加を図ることが出来ることがわかった。更に、羽根２の気流に接する面を弧状にすることにより更に送風量の増大を図ることが出来る。【００２５】  本考案は、以上の内容のものからなるが、本考案は以上の説明の内容に限定するものではなく、同一技術的範疇のものが適用されることは勿論である。
【産業上の利用可能性】
【００２６】  本考案の気流面体における羽根構造は、ファン体の羽根のあらゆるものに適用可能であり、その利用範囲は極めて広い。また、ファン体の羽根に限定せず、その他の気体や流体の流れに必要なプレート等にも本考案は可能であり、その利用範囲は極めて広い。
【符号の説明】
【００２７】  １  凹凸部
２  羽根
３  回転軸
【図１】
0003188542.tif 000003
【図２】
0003188542.tif 000004
【図３】
0003188542.tif 000005
【図４】
0003188542.tif 000006
【図５】
0003188542.tif 000007
【図６】
0003188542.tif 000008
【図７】
0003188542.tif 000009